(57)【要約】【課題】ガスガバナで調圧したガスを分配するために必要な構成要素を集約しつつも小型化を図ることができるガス分配装置とガスコンロを提供する。【解決手段】ガスが導入される主流路１４１は基体１３０の前後方向に延びる。後面１３２には上下方向に延びる溝状の分配室１４２が設けられ、主流路１４１に接続する。上流路１４３は主流路１４１の上側で左右方向に延び、下流路１４４は主流路１４１の下側で左右方向に延びる。ガス管が接続される上火供給口１５３及び下火供給口１５４は夫々上流路１４３及び下流路１４４の右端部に設け、右面１３４に開口する。ニードル弁が配設される上火調整部１５５及び下火調整部１５６は夫々上流路１４３及び下流路１４４の左端部に設け、左面１３３に開口する。電磁弁に開閉される上火開閉路１４５及び下火開閉路１４６は前後方向に延び、上流路１４３及び下流路１４４と分配室１４２とを接続する。【選択図】図５
2020169733.tif 000002
【特許請求の範囲】
【請求項１】
ガスコンロの筐体内に設けられるグリル庫内に収容する被調理物を加熱する上火バーナ及び下火バーナと、ガスの供給圧を調圧して前記上火バーナ及び前記下火バーナにガスを供給するガスガバナとの間に設けられ、前記ガスガバナから供給されるガスを流通し、前記上火バーナと前記下火バーナに分配するガス分配装置であって、
前記ガス分配装置のハウジングには、
第一方向に延び、前記ガスガバナによって調圧されたガスが流通する第一流路と、
前記第一流路の一端部に接続し、且つ前記第一方向に交差する第二方向に沿って延び、前記第一流路を流通するガスを、前記上火バーナに供給するガスと前記下火バーナに供給するガスとに分配する分配室と、
前記第一方向及び前記第二方向に交差する第三方向に沿って並行して延びる２つの流路であって、前記第一流路よりも前記第二方向の少なくとも一方側にて夫々が前記分配室に接続し、前記分配室にて分配されたガスが流通する第二流路と、
前記分配室と２つの前記第二流路との夫々に接続し、前記分配室から前記第二流路へガスを流通する２つの第一連通路と、
前記第一連通路よりも前記第三方向の一方側にて前記分配室と２つの前記第二流路との夫々に接続し、前記第一連通路とは独立に前記分配室から前記第二流路へガスを流通する２つの第二連通路と
が形成されており、
前記第一流路の他端部は、前記ハウジングにおいて前記第一方向の一方側を向く第一面にて開口し、前記ガスガバナから供給されるガスを前記ガス分配装置に導入する導入口として機能し、
前記分配室は、前記ハウジングにおいて前記第一方向の他方側を向く第二面にて前記第二方向に延びて開口し、且つ開口部分が２つの前記第一連通路を夫々開閉する２つの開閉弁によって閉塞され、
前記第二流路の夫々の一端部は、前記ハウジングにおいて前記第三方向の一方側を向く第三面にて開口し、前記第二連通路を介して前記第二流路に流入するガスの流量を調整する調整弁が組み付けられる調整口として機能し、
前記第二流路の夫々の他端部は、前記ハウジングにおいて前記第三方向の他方側を向く第四面にて開口し、前記上火バーナと前記下火バーナの夫々にガスを輸送するガス管が接続される接続口として機能すること
を特徴とするガス分配装置。
【請求項２】
前記第一方向、前記第二方向及び前記第三方向は、互いに直交する方向であること
を特徴とする請求項１に記載のガス分配装置。
【請求項３】
２つの前記第二流路は、前記第一流路に対し、前記第二方向の一方側と他方側の夫々にて形成されたこと
を特徴とする請求項１又は２に記載のガス分配装置。
【請求項４】
前記分配室は、前記開口部分を前記開閉弁で閉塞する場合の気密を維持するパッキンの配置部を前記開口部分の周囲に有し、
前記配置部の前記第二方向一方側の一端部は、前記ハウジングにおいて前記第二方向一方側を向く第五面よりも、前記第二方向一方側に位置し、
前記配置部の前記第二方向他方側の他端部は、前記ハウジングにおいて前記第二方向他方側を向く第六面よりも、前記第二方向他方側に位置すること
を特徴とする請求項３に記載のガス分配装置。
【請求項５】
前記第二方向に延び、２つの前記第二流路のうち一方に接続するガスの流路である第三流路を更に備え、
前記第三流路の一端部は、前記第二流路に接続し、
前記第三流路の他端部は、前記第五面にて開口し、ガス圧の検出を行う検出器を取り付け可能な検出口として機能すること
を特徴とする請求項４に記載のガス分配装置。
【請求項６】
前記第一方向に延び、２つの前記第二流路のうち一方に接続するガスの流路である第三流路を更に備え、
前記第三流路の一端部は、前記第二流路に接続し、
前記第三流路の他端部は、前記ハウジングにおいて前記第二面にて開口し、ガス圧の検出を行う検出器を取り付け可能な検出口として機能すること
を特徴とする請求項４に記載のガス分配装置。
【請求項７】
筐体内に、
被調理物を収納するグリル庫と、
前記グリル庫内に収容する被調理物を加熱する上火バーナ及び下火バーナと、
請求項１から６のいずれかに記載のガス分配装置と、
外部から取り込んだガスの圧力を調圧し、前記ガス分配装置に供給するガスガバナと、
前記ガス分配装置の２つの前記接続口と、前記上火バーナ及び前記下火バーナとを夫々接続する２つのガス管と
を備えたことを特徴とするガスコンロ。
【発明の詳細な説明】
【技術分野】
【０００１】
本発明はガス分配装置とガスコンロに関する。
【背景技術】
【０００２】
ガスコンロには、被調理物を上下から加熱する上火バーナと下火バーナを備えたグリル庫が設けられる。上火バーナと下火バーナにガスを供給する供給路には、ガスガバナで調圧したガスを分配し、上火バーナと下火バーナのそれぞれに供給するための機構が設けられる。例えば特許文献１に記載される火力調整機構は、ガスガバナから後方向に延びる主ガス流路、第１分岐流路及び第２分岐流路を備え、第１分岐流路及び第２分岐流路にニードル弁が介挿される第１ボディ部材と、第１ボディ部材の後に固定される第２ボディ部材を備える。
【０００３】
第２ボディ部材は、主ガス流路に接続するため前面にて開口して後方へ延びる連通路と、連通路に接続し、ハウジングの後面にて凹部状に形成され、電磁弁のプランジャによって開閉される２つの貫通孔を有する弁室と、２つの貫通孔の夫々を介して弁室に接続し、ハウジングの前面にて溝状に形成される上火用の流路及び下火用の流路とを備える。また、第二ボディ部材のハウジングの上面には、上火バーナへのガス管が挿入される第１ガス流出口と、下火バーナへのガス管が挿入される第２ガス流出口とが設けられ、夫々、上火用の流路と下火用の流路とに連通する。ガス圧の検出に用いる検出部は第一ガス流出口の隣に設けられ、上火用の流路に連通する。また、上火用の流路及び下火用の流路の夫々には、第１分岐流路及び第２分岐流路も連通する。
【先行技術文献】
【特許文献】
【０００４】
【特許文献１】特開２０１５−３６５９５号公報
【発明の概要】
【発明が解決しようとする課題】
【０００５】
しかしながら、第１ボディ部材と第２ボディ部材の固定部分おいて、主ガス流路と連通路、第１分岐流路と上火用の流路、第２分岐流路と下火用の流路とが夫々接続するため、シール性を確保する必要がある。第２ボディ部材の前面に上火用の流路と下火用の流路が形成されるので、シール用のパッキンに加え、流路の開口部分を塞ぐための閉鎖板が必要であり、部品点数が増え、生産コストが高くなるという問題があった。上火用の流路と下火用の流路を第２ボディ部材の内部に設けた場合、閉鎖板は不要となるが、弁室、検出部、第１ガス流出口、第２ガス流出口等の構成に加え、第１分岐流路、第２分岐流路、ニードル弁等、第１ボディ部材に設けた各種構成をも第２ボディ部材に設ける必要が生じ、ハウジングの大型化を招く可能性があった。
【０００６】
本発明の目的は、ガスガバナで調圧したガスを分配するために必要な構成要素を集約しつつも小型化を図ることができるガス分配装置とガスコンロを提供することである。
【課題を解決するための手段】
【０００７】
本発明の請求項１に係る発明のガス分配装置は、ガスコンロの筐体内に設けられるグリル庫内に収容する被調理物を加熱する上火バーナ及び下火バーナと、ガスの供給圧を調圧して前記上火バーナ及び前記下火バーナにガスを供給するガスガバナとの間に設けられ、前記ガスガバナから供給されるガスを流通し、前記上火バーナと前記下火バーナに分配するガス分配装置であって、前記ガス分配装置のハウジングには、第一方向に延び、前記ガスガバナによって調圧されたガスが流通する第一流路と、前記第一流路の一端部に接続し、且つ前記第一方向に交差する第二方向に沿って延び、前記第一流路を流通するガスを、前記上火バーナに供給するガスと前記下火バーナに供給するガスとに分配する分配室と、前記第一方向及び前記第二方向に交差する第三方向に沿って並行して延びる２つの流路であって、前記第一流路よりも前記第二方向の少なくとも一方側にて夫々が前記分配室に接続し、前記分配室にて分配されたガスが流通する第二流路と、前記分配室と２つの前記第二流路との夫々に接続し、前記分配室から前記第二流路へガスを流通する２つの第一連通路と、前記第一連通路よりも前記第三方向の一方側にて前記分配室と２つの前記第二流路との夫々に接続し、前記第一連通路とは独立に前記分配室から前記第二流路へガスを流通する２つの第二連通路とが形成されており、前記第一流路の他端部は、前記ハウジングにおいて前記第一方向の一方側を向く第一面にて開口し、前記ガスガバナから供給されるガスを前記ガス分配装置に導入する導入口として機能し、前記分配室は、前記ハウジングにおいて前記第一方向の他方側を向く第二面にて前記第二方向に延びて開口し、且つ開口部分が２つの前記第一連通路を夫々開閉する２つの開閉弁によって閉塞され、前記第二流路の夫々の一端部は、前記ハウジングにおいて前記第三方向の一方側を向く第三面にて開口し、前記第二連通路を介して前記第二流路に流入するガスの流量を調整する調整弁が組み付けられる調整口として機能し、前記第二流路の夫々の他端部は、前記ハウジングにおいて前記第三方向の他方側を向く第四面にて開口し、前記上火バーナと前記下火バーナの夫々にガスを輸送するガス管が接続される接続口として機能することを特徴とする。
【０００８】
本発明の請求項２に係る発明のガス分配装置は、請求項１に記載の発明の構成に加え、前記第一方向、前記第二方向及び前記第三方向は、互いに直交する方向であることを特徴とする。
【０００９】
本発明の請求項３に係る発明のガス分配装置は、請求項１又は２に記載の発明の構成に加え、２つの前記第二流路は、前記第一流路に対し、前記第二方向の一方側と他方側の夫々にて形成されたことを特徴とする。
【００１０】
本発明の請求項４に係る発明のガス分配装置は、請求項３に記載の発明の構成に加え、前記分配室は、前記開口部分を前記開閉弁で閉塞する場合の気密を維持するパッキンの配置部を前記開口部分の周囲に有し、前記配置部の前記第二方向一方側の一端部は、前記ハウジングにおいて前記第二方向一方側を向く第五面よりも、前記第二方向一方側に位置し、前記配置部の前記第二方向他方側の他端部は、前記ハウジングにおいて前記第二方向他方側を向く第六面よりも、前記第二方向他方側に位置することを特徴とする。
【００１１】
本発明の請求項５に係る発明のガス分配装置は、請求項４に記載の発明の構成に加え、前記第二方向に延び、２つの前記第二流路のうち一方に接続するガスの流路である第三流路を更に備え、前記第三流路の一端部は、前記第二流路に接続し、前記第三流路の他端部は、前記第五面にて開口し、ガス圧の検出を行う検出器を取り付け可能な検出口として機能することを特徴とする。
【００１２】
本発明の請求項６に係る発明のガス分配装置は、請求項４に記載の発明の構成に加え、前記第一方向に延び、２つの前記第二流路のうち一方に接続するガスの流路である第三流路を更に備え、前記第三流路の一端部は、前記第二流路に接続し、前記第三流路の他端部は、前記ハウジングにおいて前記第二面にて開口し、ガス圧の検出を行う検出器を取り付け可能な検出口として機能することを特徴とする。
【００１３】
本発明の請求項７に係る発明のガスコンロは、筐体内に、被調理物を収納するグリル庫と、前記グリル庫内に収容する被調理物を加熱する上火バーナ及び下火バーナと、請求項１から６のいずれかに記載のガス分配装置と、外部から取り込んだガスの圧力を調圧し、前記ガス分配装置に供給するガスガバナと、前記ガス分配装置の２つの前記接続口と、前記上火バーナ及び前記下火バーナとを夫々接続する２つのガス管とを備えたことを特徴とする。
【発明の効果】
【００１４】
本発明の請求項１に係る発明のガス分配装置によれば、ガス分配装置のハウジングは、異なる方向を向く各面に、ガスガバナに接続する導入口、ガス管が接続する接続口、調整弁が取り付けられる調整口、ガスを分配する分配室が夫々設けられる。ガバナ装置に必要な構成要素をガス分配装置に集約しつつも夫々をハウジングの各面に配置したことで、ガス分配装置の小型化を図ることができる。
【００１５】
本発明の請求項２に係る発明のガス分配装置によれば、請求項１に記載の発明の効果に加え、ハウジングを直方体形状にすることで、より小さく形成することができる。そして、各流路が直交し、更に第一流路と第二流路は貫通するので、ハウジングを金型で成型する場合に各流路を形成するためのピンや中子等を抜きやすくでき、成型しやすい。
【００１６】
本発明の請求項３に係る発明のガス分配装置によれば、請求項１又は２に記載の発明の効果に加え、第二流路の接続口の周囲には、２つのガス管を夫々接続する上での相互干渉を避けるための接続しろが必要となる。よって、２つの第二流路を隣り合わせて配置する場合、接続しろのための間隙を離して配置することになる。そこで、２つの第二流路の間に第一流路を配置する構成にすれば、接続しろのための間隙が第一流路の配置にも使用できるので、ハウジングの小型化を図ることができる。
【００１７】
本発明の請求項４に係る発明のガス分配装置によれば、請求項３に記載の発明の効果に加え、分配室は第二方向に延びるが、配置部は、分配室の開口部分の周囲に設けたので、分配室よりも第二方向に大きい。そして、配置部の一端部は、第五面よりも第二方向一方側に位置し、配置部の他端部は、第六面よりも第二方向他方側に位置する。言い換えると、第五面と第六面は、第二方向における配置部の両側の端部よりも、夫々分配室側に位置する。すなわち第五面は、２つの第二流路の一方に対し、より近い位置に位置することができ、第六面は、他方の第二流路に対し、より近い位置に位置することができる。よって、ハウジングの構成材料の使用量を減らすことができるので、ガス分配装置の小型化を図ることができる。
【００１８】
本発明の請求項５に係る発明のガス分配装置によれば、請求項４に記載の発明の効果に加え、ガス分配装置のハウジングには、更に、第五面に、検出器を取付可能な検出口が設けられる。ガバナ装置に必要な構成要素をガス分配装置に集約しつつも夫々をハウジングの各面に配置したことで、ガス分配装置の小型化を図ることができる。
【００１９】
本発明の請求項６に係る発明のガス分配装置によれば、請求項４に記載の発明の効果に加え、ガス分配装置のハウジングには、第二面に更に、検出器を取付可能な検出口が設けられる。ガバナ装置に必要な構成要素をガス分配装置に集約しつつも夫々をハウジングの各面に配置したことで、ガス分配装置の小型化を図ることができる。
【００２０】
本発明の請求項７に係る発明のガスコンロによれば、ガス分配装置の小型化を図ることにより、ガスコンロは、筐体内における配置レイアウトの自由度を確保することができる。
【００２１】
なお、本発明は、請求項１から７の夫々の発明特定事項を任意に組み合わせてもよい。
【図面の簡単な説明】
【００２２】
【図１】ガスコンロ１の斜視図である。
【図２】天板３、コンロバーナ等を省略したガスコンロ１の平面図である。
【図３】図２のＩ−Ｉ線で矢視方向から見たガスコンロ１の断面図である。
【図４】ガバナ装置１００の分解斜視図である。
【図５】基体１３０を後方右上方から見た斜視断面図である。
【図６】基体２３０（変形例）を後方右上方から見た斜視断面図である。
【発明を実施するための形態】
【００２３】
以下、本発明の実施形態を説明する。以下に記載される装置の構造は、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２４】
図１〜図３を参照し、ガスコンロ１について説明する。ガスコンロ１は、ビルトインタイプのコンロである。ガスコンロ１は筐体２と天板３を備える。筐体２は、筐体２の右側壁、左側壁、前側壁、後側壁及び底壁を構成する右壁部２１、左壁部２２、前壁部２３、後壁部２４及び底壁部２０を備え、上部が開口する略直方体状に形成される。天板３は、筐体２の開口部を覆う略矩形の板状を呈する。天板３において、右手前には右バーナ４、左手前には左バーナ５、中央奥側には奥バーナ６が設けられる。筐体２の内側の左右方向における略中央部には、箱状のグリル庫３１が設置される。天板３の後方部には、グリル庫３１の排気口７が設けられる。
【００２５】
ガスコンロ１の前面の略中央には、グリル扉８が設けられる。グリル扉８は、グリル庫３１の前側開口部分を開閉する。グリル扉８の右側の領域には、正面視円形状の２つの操作つまみ１１、１２が横方向に並んで設けられる。グリル扉８の左側の領域には、操作つまみ１１、１２と同じ高さ位置に、同一形状の２つの操作つまみ１３、１４が横方向に並んで設けられる。操作つまみ１１〜１４の夫々は、右バーナ４、グリル庫３１内の上火バーナ３２及び下火バーナ３３、奥バーナ６、左バーナ５の点火、消火及び火力調節を行う為に操作される。以下では、上火バーナ３２及び下火バーナ３３を総称してグリルバーナという。また、右バーナ４、左バーナ５及び奥バーナ６を総称してコンロバーナという。操作つまみ１１〜１４は夫々、燃料供給装置５１〜５４の前端部に取り付けられる。
【００２６】
図３を参照し、燃料供給装置５２について説明する。ガスコンロ１は、右バーナ４、グリルバーナ（上火バーナ３２、下火バーナ３３）、左バーナ５、奥バーナ６の夫々にガスを供給する４つの燃料供給装置５１〜５４を備える。そのうち、右バーナ４、左バーナ５、奥バーナ６にガスを供給する燃料供給装置５１、５３、５４は、操作つまみ１１、１３、１４の押し込み操作と回動操作に応じ、コンロバーナの点火と消火、及びコンロバーナに供給するガス量を調節する。グリルバーナにガスを供給する燃料供給装置５２は、燃料供給装置５１、５３、５４と同様に操作つまみ１２の押し込み操作に応じてグリルバーナの点火と消火を行うが、ガス量の調節は行わない。なお、ガス量の調節は、別体に設けたガバナ装置１００が行う。ガバナ装置１００は、操作つまみ１２の回転位置によって、ガバナ装置１００に設けた電磁弁１７１，１７２を夫々個別に駆動し、上火バーナ３２と下火バーナ３３の強火及び弱火の組合せを切り替えることができる。燃料供給装置５１、５２は、筐体２内でグリル庫３１の右側面３１Ａと、筐体２の右壁部２１内面との間に形成される隙間領域Ｇ１に配置される。燃料供給装置５１、５２は、筐体２内でグリル庫３１の左側面３１Ｂと、筐体２の左壁部２２内面との間に形成される隙間領域Ｇ２に配置される。以下では、グリルバーナにガスを供給する燃料供給装置５２について説明を行い、右バーナ４、左バーナ５、奥バーナ６にガスを供給する燃料供給装置５１、５３、５４については説明を省略する。
【００２７】
燃料供給装置５２は、操作つまみ１２の押し込み操作に応じ、グリルバーナの点火と消火を行う。燃料供給装置５２は、操作つまみ１２の操作に応じて動作する合成樹脂製で円筒状の前側本体５２Ａと、内部のガス流路にメイン弁６１及び安全弁６２を備える金属製で円筒状の後側本体５２Ｂとを備える。前側本体５２Ａの内部には、操作つまみ１２の押し込み操作によって前後に移動するスライダ６３が設けられる。スライダ６３は、メイン弁６１を開閉させる。安全弁６２は、後側本体５２Ｂのガス流路を閉じる閉状態に弾性付勢された電磁操作式の弁である。後側本体５２Ｂの下部には、ガス供給管６６が接続される接続部６４が設けられ、この接続部６４を介し、ガス供給管６６から後側本体５２Ｂのガス流路に向けてガスが導入される。後側本体５２Ｂの上部には、ガス流路を流れたガスが流出する流出口６５が設けられる。なお、メイン弁６１及び安全弁６２は周知のものであるので、これらの詳細な動作の説明を省略する。
【００２８】
図３〜図５を参照し、ガバナ装置１００について説明する。ガバナ装置１００は、筐体２内の隙間領域Ｇ１に配置される。ガバナ装置１００は燃料供給装置５２に連結し、燃料供給装置５２から供給されるガス圧を調整することにより、安定したガス圧で、ガスをグリルバーナへ供給するための装置である。本実施形態のガバナ装置１００は燃料供給装置５２の上側に配置され、後側本体５２Ｂの流出口６５から流出するガスを内部に導入し、導入したガスを調圧してグリルバーナに供給する。
【００２９】
ガバナ装置１００は、ガスガバナ１１０とガス分配装置１２０を一体に設けた装置である。ガスガバナ１１０は、燃料供給装置５２から供給されるガスの供給圧を調圧する。ガス分配装置１２０は、ガスガバナ１１０が調圧したガスの流量を電磁弁１７１，１７２によって切り替え、上火バーナ３２及び下火バーナ３３の夫々に分配して供給する。
【００３０】
ガスガバナ１１０は公知であるので詳細な説明は省略するが、内部に調圧バネ１１１、弁体１１２、ダイヤフラム１１３、圧力室１１４等を備える。弁体１１２は、調圧バネ１１１の付勢により、弁を開く向きに押圧される。ダイヤフラム１１３は、弁体１１２の軸部に連結する。燃料供給装置５２の流出口６５から供給されるガスは、流出口６５に接続する流入口１１５から圧力室１１４内に流入する。ダイヤフラム１１３は、圧力室１１４内のガス圧が高くなるに従い、バネ圧に抗して弁を閉じる向きに弁体１１２を動かす。ガスガバナ１１０は、流入口１１５のガス圧が変化しても、流出口１１６からガス分配装置１２０へ送出するガス圧が略一定となるように、圧力室１１４内のガス圧を調圧する。
【００３１】
ガス分配装置１２０は、基体１３０に、電磁弁１７１，１７２、ニードル弁１６１，１６２等を組み付けて形成される。基体１３０は、溶融した金属（例えばアルミニウム又はアルミニウム合金）を上下方向に分割される金型に圧入して成型した、いわゆるダイカストである。基体１３０の内部には、ガスが流れる複数の流路が形成されている。なお、図５において、基体１３０内を流通するガスの流れを太線（実線又は点線）で示し、ガスが流れる向きを矢印で示す。
【００３２】
主流路１４１は基体１３０の略中心部を前後方向に延びる。主流路１４１の前端部は、基体１３０の前方を向く前面１３１に開口する。基体１３０の前面１３１は、固定部１３７に形成される。固定部１３７は左右方向に長い板状を呈し、左右両端部に、ガスガバナ１１０とガス分配装置１２０とを締結する固定ネジ１１７のネジ穴が設けられる。主流路１４１の前端部は、ガスガバナ１１０の流出口１１６から送出されるガスをガス分配装置１２０内に導入する導入口１５１として機能する。導入口１５１は前面１３１において前方に突出し、且つその周囲が前面１３１において環状に凹部形成されている。ガスガバナ１１０とガス分配装置１２０の固定時、導入口１５１にはＯリング１１８が配設され、接続部分におけるガス漏れが防止される。
【００３３】
基体１３０の後部には、上下方向に延びる溝状の分配室１４２が設けられる。分配室１４２は、基体１３０の後方を向く後面１３２において上下方向に延びる長円形状に開口し、前方へ向けて凹む凹部状に形成される。分配室１４２内には電磁弁１７１，１７２の弁体１７３，１７４（後述）が配置される。主流路１４１の後端部は、分配室１４２の底部略中央に開口する。
【００３４】
上流路１４３は基体１３０内で主流路１４１の上方に形成され、左右方向に延びる。上流路１４３の右端部は、基体１３０の右方を向く右面１３４に開口し、開口部分が上火供給口１５３として機能する。上火供給口１５３は右面１３４において円形の凹部状に形成され、底部中央に、上流路１４３の主部分に連通する穴部が開口する。上火供給口１５３には、グリルバーナのうちの上火バーナ３２にガスを輸送する上火ガス管３５の上流端部３５Ａが挿入される。上火ガス管３５の上流端部３５Ａと、下火ガス管３６の上流端部３６Ａ（後述）は、基体１３０の右面１３４に抜け防止のための保持金具１３９が嵌められ、固定ネジ１４０で基体１３０に固定されることによって、基体１３０から抜け止めされる。上流路１４３の左端部は、基体１３０の左方を向く左面１３３に開口する。上流路１４３の左端部は、分配室１４２から上流路１４３に流入するガスの流量を調整するニードル弁１６１が組み付けられる上火調整部１５５として機能する。上火調整部１５５の内径は、ニードル弁１６１の外径に合わせ、上流路１４３の主部分よりも大きい。
【００３５】
上火開閉路１４５は基体１３０内で前後方向に延び、分配室１４２と上流路１４３の主部分とを接続する。上火開閉路１４５の後端部は、分配室１４２の底部において、主流路１４１の開口よりも上方の位置に開口する。分配室１４２内の上火開閉路１４５の開口は、電磁弁１７１の弁体１７３によって開閉される。上火バイパス路１４７は基体１３０内で前後方向に延び、分配室１４２と上火調整部１５５とを接続する。上火バイパス路１４７の後端部は、分配室１４２の底部において、上火開閉路１４５の開口よりも左方の位置に開口する。分配室１４２内の上火バイパス路１４７の開口は、常時開いた状態である。
【００３６】
上火調整部１５５には、基体１３０の左面１３３側よりニードル弁１６１が挿入される。ニードル弁１６１は左右方向に長く、側面の横穴と右面の縦穴が内部で連通する。ニードル弁１６１の横穴は上火バイパス路１４７の前端部の開口に向き合って配置され、縦穴は上流路１４３内に開口する。分配室１４２から上火バイパス路１４７を通り上火調整部１５５内に流れるガスは、横穴と縦穴を通り、上流路１４３に流通する。ニードル弁１６１は、上火バイパス路１４７から上流路１４３に流通するガスを遮断しないが、小径に形成された縦穴によってガスの流量を制限する。ニードル弁１６１は、基体１３０の左面１３３に締結される押えネジ１６３によって上火調整部１５５内に保持される。また、ニードル弁１６１には２つのＯリングが設けられており、上火調整部１５５においてニードル弁１６１を介さないガスの流通が防止される。
【００３７】
下流路１４４は基体１３０内で主流路１４１の下方に形成され、左右方向に延びる。下流路１４４の右端部は、基体１３０の右面１３４に開口し、開口部分が下火供給口１５４として機能する。下火供給口１５４は、上火供給口１５３の下方に設けられる。下火供給口１５４は右面１３４において円形の凹部状に形成され、底部中央に、下火供給口１５４の主部分に連通する穴部が開口する。下火供給口１５４には、グリルバーナのうちの下火バーナ３３にガスを輸送する下火ガス管３６の上流端部３６Ａが挿入される。下流路１４４の左端部は、基体１３０の左面１３３に開口する。下流路１４４の左端部は、分配室１４２から下流路１４４に流入するガスの流量を調整するニードル弁１６２が組み付けられる下火調整部１５６として機能する。下火調整部１５６の内径は、ニードル弁１６２の外径に合わせ、下流路１４４の主部分よりも大きい。
【００３８】
このように、上流路１４３と下流路１４４は、基体１３０内において主流路１４１に直交し、且つ主流路１４１を挟んで上側と下側に形成される。上流路１４３と下流路１４４は、夫々、上火ガス管３５と下火ガス管３６が接続される上火供給口１５３と下火供給口１５４を有する。上火供給口１５３と下火供給口１５４は、基体１３０の右面１３４において上下方向に並んで配置される。上火ガス管３５と下火ガス管３６の夫々を基体１３０に接続する上で、右面１３４には相互干渉を避けるための接続しろが必要となる。上流路１４３と下流路１４４の間に主流路１４１を配置する構成にしたことで、基体１３０は、上流路１４３と下流路１４４との間に設けられた間隙を、上火供給口１５３と下火供給口１５４の周囲に設ける接続しろに利用することができる。
【００３９】
下火開閉路１４６は基体１３０内で前後方向に延び、分配室１４２と下流路１４４の主部分とを接続する。下火開閉路１４６の後端部は、分配室１４２の底部において、主流路１４１の開口よりも下方の位置に開口する。分配室１４２内の下火開閉路１４６の開口は、電磁弁１７２の弁体１７４によって開閉される。下火バイパス路１４８は基体１３０内で前後方向に延び、分配室１４２と下火調整部１５６とを接続する。下火バイパス路１４８の後端部は、分配室１４２の底部において、下火開閉路１４６の開口よりも左方の位置に開口する。分配室１４２内の下火バイパス路１４８の開口は、常時開いた状態である。
【００４０】
下火調整部１５６には、基体１３０の左面１３３側よりニードル弁１６２が挿入される。ニードル弁１６２は左右方向に長く、側面の横穴と右面の縦穴が内部で連通する。ニードル弁１６２の横穴は下火バイパス路１４８の前端部の開口に向き合って配置され、縦穴は下流路１４４内に開口する。分配室１４２から下火バイパス路１４８を通り下火調整部１５６内に流れるガスは、横穴と縦穴を通り、下流路１４４に流通する。ニードル弁１６２は、下火バイパス路１４８から下流路１４４に流通するガスを遮断しないが、小径に形成された縦穴によってガスの流量を制限する。ニードル弁１６２は、基体１３０の左面１３３に締結される押えネジ１６４によって下火調整部１５６内に保持される。また、ニードル弁１６２には２つのＯリングが設けられており、下火調整部１５６においてニードル弁１６２を介さないガスの流通が防止される。
【００４１】
検出路１４９は基体１３０内で上下方向に延び、下端部が上流路１４３の主部分に接続する。検出路１４９の上端部は、基体１３０の上方を向く上面１３５において開口し、開口部分の周囲が上方へ向けて筒状に突出する。検出路１４９の上端部は、ガスコンロ１の製造時やメンテナンス時に用いられ、ガス圧を検出する検出器（図示略）を取付可能な検出口１５７として機能し、普段はガスケット（図示略）と封止ネジ１３８により封止される。なお、基体１３０の下方を向く下面１３６において、各流路は開口しない。
【００４２】
電磁弁１７１、１７２は固定金具１７５に一体に保持される。固定金具１７５は平板状を呈し、背面側に固定する電磁弁１７１，１７２の弁体１７３，１７４を、２つの貫通穴を介して夫々前面に露出する。貫通穴はＯリング（図示略）等により封止される。固定金具１７５は基体１３０の後面１３２に対向して配置され、弁体１７３，１７４を分配室１４２内に配置した状態で、４本の固定ネジ１７７により基体１３０に固定される。基体１３０の後面１３２には、長円形を呈する円環状のパッキン１７６を配置するための配置部１５２が形成されている。配置部１５２は、後面１３２において、分配室１４２の開口部分の周囲を一周する長円形の溝状に形成される。分配室１４２の内面は、基体１３０を後方から見たときに、後面１３２の上端及び下端に近い位置に延びて形成される。故に配置部１５２の上側の円弧部分である上端部１５２Ａ及び下側の円弧部分である下端部１５２Ｂは、基体１３０の上面１３５及び下面１３６の夫々よりも、上方及び下方に突出する。言い換えると、基体１３０の上面１３５は、配置部１５２の上側の上端部１５２Ａよりも下方に位置し、基体１３０の下面１３６は、配置部１５２の下側の下端部１５２Ｂよりも上方に位置する。固定金具１７５は、配置部１５２に配置したパッキン１７６を基体１３０の後面１３２との間に挟むことで、分配室１４２の開口部分を密閉状態に蓋する。電磁弁１７１、１７２の弁体１７３，１７４は夫々、分配室１４２内で上火開閉路１４５、下火開閉路１４６の開口の後方に配置される。電磁弁１７１、１７２が駆動すると、弁体１７３，１７４は夫々、上火開閉路１４５、下火開閉路１４６の開口を閉鎖し、ガスの流路を夫々、上火バイパス路１４７、下火バイパス路１４８を介した流路に制限する。
【００４３】
前述したように、本実施形態のガス分配装置１２０の基体１３０は、金型により成型されるダイカストである。主流路１４１は基体１３０の前面１３１にて開口し、導入口１５１を形成する。分配室１４２は基体１３０の後面１３２にて上下方向に延びて開口し、主流路１４１と接続する。この構成により、主流路１４１と分配室１４２は、基体１３０の前面１３１から後面１３２にかけて前後方向に貫通する直線的な流路として形成することができる。また、上流路１４３は、基体１３０の左面１３３に開口して上火調整部１５５を形成すると共に、基体１３０の右面１３４においても開口して上火供給口１５３を形成する。同様に、下流路１４４は、基体１３０の左面１３３に開口して下火調整部１５６を形成すると共に、基体１３０の右面１３４においても開口して下火供給口１５４を形成する。この構成により、上流路１４３と下流路１４４は、基体１３０の左面１３３から右面１３４にかけて左右方向に貫通する直線的な流路として形成することができる。主流路１４１、分配室１４２、上流路１４３、下流路１４４が上記のように基体１３０を前後方向及び左右方向に貫通して形成される関係にあるからこそ、基体１３０は、前面１３１、後面１３２、左面１３３、右面１３４の夫々に対し、ガスガバナ１１０との接続口、電磁弁１７１，１７２の配置部、ニードル弁１６１，１６２の配置部、上火ガス管３５、下火ガス管３６との接続口などの機能部分を効率よく配置でき、小型化を図ることができる。更に、上火開閉路１４５及び下火開閉路１４６と、上火バイパス路１４７及び下火バイパス路１４８は夫々、分配室１４２から前後方向に延び、上流路１４３及び下流路１４４に連結する構成である。故に基体１３０は、金型による成型において、各流路や機能部分をピンや中子等を用いて容易に形成することができ、更に型抜きも容易に行うことができる。
【００４４】
以上説明したように、ガス分配装置１２０の基体１３０は、異なる方向を向く各面に、ガスガバナ１１０に接続する導入口１５１、上火ガス管３５及び下火ガス管３６が接続する上火供給口１５３及び下火供給口１５４、ニードル弁１６１，１６２が取り付けられる上火調整部１５５及び下火調整部１５６、ガスを分配する分配室１４２が夫々設けられる。ガバナ装置１００に必要な構成要素をガス分配装置１２０に集約しつつも夫々を基体１３０の各面に配置したことで、ガス分配装置１２０の小型化を図ることができる。
【００４５】
基体１３０を直方体形状にすることで、より小さく形成することができる。そして、各流路が直交し、更に主流路１４１と上流路１４３及び下流路１４４は貫通するので、基体１３０を金型で成型する場合に各流路を形成するためのピンや中子等を抜きやすくでき、成型しやすい。
【００４６】
上流路１４３及び下流路１４４の上火供給口１５３及び下火供給口１５４の周囲には、上火ガス管３５及び下火ガス管３６を夫々接続する上での相互干渉を避けるための接続しろが必要となる。よって、上流路１４３及び下流路１４４を隣り合わせて配置する場合、接続しろのための間隙を離して配置することになる。そこで、上流路１４３及び下流路１４４の間に主流路１４１を配置する構成にすれば、接続しろのための間隙が主流路１４１の配置にも使用できるので、基体１３０の小型化を図ることができる。
【００４７】
分配室１４２は上下方向に延びるが、配置部１５２は、分配室１４２の開口部分の周囲に設けたので、分配室１４２よりも上下方向に大きい。そして、配置部１５２の上端部１５２Ａは、上面１３５よりも上側に突出して設けられ、配置部１５２の下端部１５２Ｂは、下面１３６よりも下側に突出して設けられる。言い換えると、上面１３５と下面１３６は、上下方向において、配置部１５２の上端部１５２Ａと下端部１５２Ｂよりも、夫々分配室１４２側に位置する。すなわち上面１３５は上流路１４３に対し、より近い位置に位置することができ、下面１３６は下流路１４４に対し、より近い位置に位置することができる。よって、基体１３０の構成材料の使用量を減らすことができるので、ガス分配装置１２０の小型化を図ることができる。
【００４８】
ガス分配装置１２０の基体１３０には、更に、上面１３５に、検出器を取付可能な検出口１５７が設けられる。ガバナ装置１００に必要な構成要素をガス分配装置１２０に集約しつつも夫々を基体１３０の各面に配置したことで、ガス分配装置１２０の小型化を図ることができる。
【００４９】
ガス分配装置１２０の小型化を図ることにより、ガスコンロ１は、筐体２内における配置レイアウトの自由度を確保することができる。
【００５０】
なお、本発明は上記実施形態に限定されるものではなく、種々の変更が可能である。上流路１４３が延びる方向と下流路１４４が延びる方向とは、必ずしも同じ方向でなくてもよい。また、上流路１４３が延びる方向は、必ずしも左右方向でなくてもよく、同様に、下流路１４４が延びる方向は、必ずしも左右方向でなくてもよい。主流路１４１は、上下方向において、上流路１４３と下流路１４４の間に設けたが、上流路１４３よりも上側あるいは下流路１４４よりも下側に設けてもよい。
【００５１】
検出口１５７は、必ずしも上面１３５に設けなくてもよい。例えば図６に示す基体２３０のように、検出口２５７を基体２３０の後面１３２に設けてもよい。検出路２４９は基体２３０内で前後方向に延び、前端部が上流路１４３の主部分に接続する。検出路２４９の後端部は、基体１３０の後面１３２に開口し、開口部分の周囲が後方へ向けて筒状に突出する検出口２５７として機能してもよい。このような構成としても、ガバナ装置１００に必要な構成要素をガス分配装置１２０に集約しつつも夫々を基体２３０の各面に配置することで、ガス分配装置１２０の小型化を図ることができる。また、上下方向に沿う流路がなく、基体２３０を金型で成型する場合に各流路を形成するためのピンや中子等の向きを前後方向及び左右方向に限定できるので、ピンや中子等をより抜きやすく、成型しやすい。
【００５２】
上記説明において、基体１３０が本発明の「ハウジング」の一例である。前後方向が本発明の「第一方向」の一例である。主流路１４１が本発明の「第一流路」の一例である。上下方向が本発明の「第二方向」の一例である。左右方向が本発明の「第三方向」の一例である。上流路１４３及び下流路１４４が本発明の「第二流路」の一例である。上火開閉路１４５及び下火開閉路１４６が本発明の「第一連通路」の一例である。上火バイパス路１４７及び下火バイパス路１４８が本発明の「第二連通路」の一例である。前面１３１が本発明の「第一面」の一例である。後面１３２が本発明の「第二面」の一例である。左面１３３が本発明の「第三面」の一例である。ニードル弁１６１，１６２が本発明の「調整弁」の一例である。上火調整部１５５及び下火調整部１５６が本発明の「調整口」の一例である。右面１３４が本発明の「第四面」の一例である。上火ガス管３５及び下火ガス管３６＋が本発明の「ガス管」の一例である。上火供給口１５３及び下火供給口１５４が本発明の「接続口」の一例である。上端部１５２Ａが本発明の「配置部の一端部」の一例である。上面１３５が本発明の「第五面」の一例である。下端部１５２Ｂが本発明の「配置部の他端部」の一例である。下面１３６が本発明の「第六面」の一例である。検出路１４９，２４９が本発明の「第三流路」の一例である。
【符号の説明】
【００５３】
１                                      ガスコンロ
２                                      筐体
３１                                    グリル庫
３２                                    上火バーナ
３３                                    下火バーナ
３５                                    上火ガス管
３６                                    下火ガス管
１１０                                  ガスガバナ
１２０                                  ガス分配装置
１３０                                  基体
１３１                                  前面
１３２                                  後面
１３３                                  左面
１３４                                  右面
１３５                                  上面
１３６                                  下面
１４１                                  主流路
１４２                                  分配室
１４３                                  上流路
１４４                                  下流路
１４５                                  上火開閉路
１４６                                  下火開閉路
１４７                                  上火バイパス路
１４８                                  下火バイパス路
１４９，２４９                          検出路
１５１                                  導入口
１５２                                  配置部
１５２Ａ                                上端部
１５２Ｂ                                下端部
１５３                                  上火供給口
１５４                                  下火供給口
１５５                                  上火調整部
１５６                                  下火調整部
１５７，２５７                          検出口
１６１，１６２                          ニードル弁
１７６                                  パッキン
【図１】
2020169733.tif 000003
【図２】
2020169733.tif 000004
【図３】
2020169733.tif 000005
【図４】
2020169733.tif 000006
【図５】
2020169733.tif 000007
【図６】
2020169733.tif 000008